(57)【要約】【課題】ドアハンガーを交換する間、ドアハンガーで吊っている時と同じ位置にドアパネルを簡便に保持することのできるようにする。【解決手段】本発明の実施形態は、エレベータの出入口を開閉するドアパネル１０と、ヘッダーケースに設けられ、ドアパネル１０を開閉可能に吊持するドアハンガーと、出入口の床に設けられ、ドアパネル１０の開閉を案内する敷居１２と、を有するドア装置において、ドアハンガー２０を交換する際にドアパネル１０を転倒しないように保持するドアパネルの保持装置であって、ドアパネル１０の側縁部の下部を囲むようにして拘束するドアパネル保持部３１と、ドアパネル保持部３１の下端部に設けられ、ドアパネル保持部を敷居１２上に着脱可能に固定する固定部３２と、を有している。【選択図】図２
2017200851.tif 000002
【特許請求の範囲】
【請求項１】
エレベータの出入口を開閉するドアパネルと、ヘッダーケースに設けられ、前記ドアパネルを開閉可能に吊持するドアハンガーと、前記出入口の床に設けられ、前記ドアパネルの開閉を案内する敷居と、を有するドア装置において、前記ドアハンガーを交換する際に前記ドアパネルを転倒しないように保持するドアパネルの保持装置であって、
前記ドアパネルの側縁部の下部を囲むようにして拘束するドアパネル保持部と、
前記ドアパネル保持部の下端部に設けられ、前記ドアパネル保持部を前記敷居上に着脱可能に固定する固定部と、を有することを特徴とするエレベータのドアパネル保持装置。
【請求項２】
前記固定部は、前記敷居の敷居溝の側面と前記敷居の外側側面との二面を跨がるように取り付けられる固定ベース部材と、パッド部材を前記外側側面に押し付けて前記固定ベース部材を固定するクランプ手段と、を有することを特徴とする請求項１に記載のエレベータのドアパネル保持装置。
【請求項３】
前記固定部は、前記敷居の敷居溝に挿入される一対のクランププレートと、各クランププレートの間隔を押し広げ、前記敷居溝の両側の側面にそれぞれ押し付けるねじクランプ手段と、を有することを特徴とする請求項１に記載のエレベータのドアパネル保持装置。
【請求項４】
前記ドアパネル保持部は、前記ドアパネルの側縁部を三方の面で拘束可能なコ字形断面を有し、その下端部が前記敷居の上面に載るように前記固定部によって固定されるブラケットを有し、吊られた状態にある前記ドアパネルの前記側縁部の下端が、前記ブラケットの底部にちょうど載るように、前記側縁部の下端と前記敷居の上面との間の隙間に前記底部が嵌合可能であることを特徴とする請求項１乃至３のいずれかの項に記載のエレベータのドアパネル保持装置。
【請求項５】
前記ドアパネル保持部は、前記ドアパネルの側縁部の幅よりも大きな幅を有する前記ブラケットと、パッド部材を前記側縁部に押し付け、前記パッドと前記ブラケットの内面とで前記側縁部を挟み込むクランプ手段と、を有することを特徴とする請求項１乃至３のいずれかの項に記載のエレベータのドアパネル保持装置。
【請求項６】
エレベータの出入口を開閉するドアパネルと、ヘッダーケースに設けられ、前記ドアパネルを開閉可能に吊持するドアハンガーと、前記出入口の床に設けられ、前記ドアパネルの開閉を案内する敷居と、を有するドア装置において、前記ドアハンガーを交換する際に前記ドアパネルを転倒しないように保持するドアパネルの保持装置であって、
前記ヘッダーケースを支持し、縦方向に延びる一対の縦型材に水平に架設されるドアパネル保持用梁と、
前記ドアパネル保持用梁の両端部を前記縦型材に固定する第１のブラケットと、
前記ドアパネルを前記ドアパネル保持用梁から吊持する第２のブラケットと、を有することを特徴とするエレベータのドアパネル保持装置。
【請求項７】
請求項１乃至５のいずれかの項に記載のドアパネル保持装置を前記敷居の上に載せ、前記ドアハンガーで吊られたドアパネルの側縁部に前記ドアパネル保持装置を取り付け、前記ドアパネルを支持する工程と、
前記ドアパネルを前記ドアパネル保持装置で保持したまま、前記ドアハンガーを新しいドアハンガーに交換する工程と、
からなることを特徴とするエレベータのドアハンガーの交換方法。
【請求項８】
請求項６に記載のドアパネル保持装置を用い、前記ドアハンガーで吊られた前記ドアパネルを前記ドアパネル保持用枠から吊持する工程と、
前記ドアパネルを前記ドアパネル保持梁から吊持したまま、前記ドアハンガーを新しいドアハンガーに交換する工程と、
からなることを特徴とするエレベータのドアハンガーの交換方法。
【発明の詳細な説明】
【技術分野】
【０００１】
本発明の実施形態は、エレベータのドアパネル保持装置およびドアハンガーの交換方法に関する。
【背景技術】
【０００２】
エレベータ乗場のドア装置では、ドアパネルは、ヘッダーケースに設けられているドアハンガーによって支持されている。ドアハンガーは、ヘッダーケースに取り付けられたドアレールに沿って移動可能に配置されている。ドアパネルは、ドアハンガーによって吊られた状態でドアパネルの下端が敷居の溝に沿って案内されながら開閉される。乗りかごのドア装置も、エレベータ乗場のドア装置と基本的に同じ構造である。
【０００３】
このようなドア装置では、ローラが摩耗したドアハンガーを保守工事により交換する場合がある。また、エレベータのリニューアル工事に際して、ドアハンガーに加えてドアレールを含むヘッダーケース一式を交換する場合もある。その場合、ドアパネルは交換せずに、既設のドアパネルをそのまま流用することがある。
【０００４】
ドアハンガーの交換作業では、ドアパネルについては、ドアハンガーに吊られていることから、ドアパネルを一度ドアハンガーから取り外す必要がある。そのため、従来は、一人の作業者がドアパネルを支えながら、もう一人の作業者がドアパネルとドアハンガーの締結を外すというように、最低二人がかりの作業となる。その後、ドアハンガーから取り外されたドアパネルは、別の場所に仮置きされ、あるいは一人の作業員によってそのまま支えている間に、新規のドアハンガーに交換される。
【０００５】
このようなドアハンガーの交換作業は、かなりの労力を伴うため、例えば、特許文献１のような労力低減の提案がなされている。
【先行技術文献】
【特許文献】
【０００６】
【特許文献１】特開平３−２３８２８５号公報
【発明の開示】
【発明が解決しようとする課題】
【０００７】
ドアハンガーの交換作業では、ドアパネルを人の手で支え続けるのに、大きな労力が要る。とりわけ、新規のドアハンガーをドアレールに設置した後は、一人の作業員がドアパネルを吊られているのと同じ位置に保持しなから、他方の作業員がドアハンガーとドアパネルとの締結をしなければならない。  
このとき、一人の作業員の力では、ドアパネルの位置を同位置に保持することが難しい場合があり、既設の時と比較して位置がずれてしまい、ドアパネルを取り付け後に、やり直しが必要となる場合がある。
【０００８】
リニューアル工事の場合には、建物の階床分交換作業が必要となることから、作業者の負担は非常に大きいものがある。
【０００９】
本発明は、前記従来技術の有する問題点に鑑みなされたものであって、ドアハンガーを交換する間、ドアハンガーで吊っている時と同じ位置にドアパネルを簡便に保持することのできるエレベータのドアパネル保持装置およびドアハンガーの交換方法を提供することを目的としている。
【課題を解決するための手段】
【００１０】
前記の目的を達成するために、本発明に係るエレベータのドアパネル保持装置は、エレベータの出入口を開閉するドアパネルと、ヘッダーケースに設けられ、前記ドアパネルを開閉可能に吊持するドアハンガーと、前記出入口の床に設けられ、前記ドアパネルの開閉を案内する敷居と、を有するドア装置において、前記ドアハンガーを交換する際に前記ドアパネルを転倒しないように保持するドアパネルの保持装置であって、前記ドアパネルの側縁部の下部を囲むようにして拘束するドアパネル保持部と、前記ドアパネル保持部の下端部に設けられ、前記ドアパネル保持部を前記敷居上に着脱可能に固定する固定部と、を有することを特徴とするものである。
【図面の簡単な説明】
【００１１】
【図１】本発明の実施形態によるドアパネルの保持装置が適用されるエレベータ乗場のドア装置の概要を示す斜視図である。
【図２】第１実施形態によるドアパネル保持装置でドアパネルを保持している状態を示す斜視図である。
【図３】第１実施形態によるドアパネル装置を示す斜視図である。
【図４】ドアパネル保持装置の下部を示す側面図である。
【図５】ドアパネル保持装置の固定部を示す斜視図である。
【図６】ドアパネル保持装置の固定部を敷居に固定した状態を示す図である。
【図７】第２実施形態によるドアパネル保持装置を背面側から示した斜視図である。
【図８】第２実施形態によるドアパネル保持装置の固定部を拡大して示す斜視図である。
【図９】図９のドアパネル保持装置の固定部の側面を示す図である。
【図１０】第３実施形態によるドアパネル保持装置を示す斜視図である。
【図１１】第３実施形態によるドアパネル保持装置を真上からみた平面図である。
【図１２】第４実施形態によるドアパネル保持装置を示す斜視図である。
【図１３】第４実施形態によるドアパネル保持装置において、アングル部材に取り付けられたブラケットを真上からみた平面図である。
【発明を実施するための最良の形態】
【００１２】
以下、本発明によるエレベータのドアパネル保持装置の実施形態について、添付の図面を参照しながら説明する。  
（第１実施形態）  
図１は、本実施形態によるドアパネルの保持装置が適用されるエレベータ乗場のドア装置の概要を示す斜視図である。この図１は、エレベータ乗場のドア装置を昇降路側からみた斜視図である。
【００１３】
図１において、参照番号１０、１０はドアパネルを示している。参照番号１２は、敷居を示している。敷居１２の左右両端部には、アングル部材１３、１４が上下方向に立設されている。ドアパネル１０、１０の上には、アングル部材１３、１４によってヘッダーケース１６が水平に支持されている。このヘッダーケース１６には、ドアレール１８が水平に取り付けられている。
【００１４】
ドアハンガー２０、２０には、外周がゴム部材でできているローラ２２、２３が設けられている。ドアパネル１０、１０は、ドアレール１８を転動するローラ２２、２３を介してドアハンガー２０、２０によって吊持された状態で開閉するようになっている。ドアパネル１０の下端には、図示しないドアシューが設けられ、このガイドシューは敷居１２の敷居溝１５に挿入されており、ドアパネル１０の開閉動作が案内される。
【００１５】
敷居１２からはトーガード２５がつり下げられている。このトーガード２５は、乗りかごが正規の着床からずれた場合でも、ドアが開いた場合に、乗客が乗りかごの床面と乗り側の床面に間に挟まれるのを防ぐ目的で設置される。
【００１６】
このようなドア装置では、保守工事において、摩耗したローラ２２、２３をドアハンガー２０、２０ごと交換することがある。また、エレベータのリニューアル工事にあっては、ドアレール１８を含むヘッダーケース１６の一式を交換することがある。その交換工事では、ドアパネル１０、１０は交換せずに既設ものをそのまま利用することがある。
【００１７】
次に、図２は、本実施形態によるドアパネルの保持装置３０を敷居１２に取り付け、ドアパネル１０を保持している状態を示す図である。図３は、本実施形態によるドアパネル保持装置３０を示す斜視図である。このドアパネル保持装置３０は、ドアハンガー２０を交換する際に、作業員が支える必要なく、ドアパネル１０を保持し、ドアハンガー２０の交換作業を容易するものである。
【００１８】
ドアパネル保持装置３０は、ドアパネル１０の側縁部１０ａを保持するドアパネル保持部３１と、このドアパネル保持部３１を敷居１２に固定する固定部３２と、から構成されている。図２に示されるように、ドアパネル保持装置３０は、ドアパネル１０の両側に配置され、ドアパネルの下部を保持するようになっており、１枚のドアパネル１０は、２つ一組のドアパネル保持装置３０によって保持される。
【００１９】
ドアパネル保持部３１は、図３に示すように、鉛直方向に長いコ字形のブラケット２６と、このブラケット２６の下端が固着されている底板２７と、底板２７とブラケット２６の背面に固着されブラケット２６を支える補強リブ２８と、から構成されている。
【００２０】
図２に示されるように、ドアパネル１０の側縁部１０ａは、側面と表面と裏面とがコ字形をなしているので、ドアパネル１０の側縁部１０ａを囲むように、ドアパネル保持装置３０のブラケット２６は、コ字形の断面形状を有している。そして、ドアパネル１０の意匠面を傷つけないために、ゴムなどの軟らかい材料からなる緩衝材２９がブラケット２６の内側面全体に貼付されている。
【００２１】
図３において、緩衝材２９が取り付けられている状態では、ブラケット２６の奥行き方向の溝幅は、ドアパネル１０の側面の幅よりも若干大きくなっている。ブラケット２６の水平方向の溝幅については、図４に示されるように、ドアガイドシュー３５と干渉しないように、ドアパネル１０の側面からドアガイドシュー３５の側面までの距離よりも短く設定されている。
【００２２】
ブラケット２６の底板２７の厚さについては、ドアパネル１０の下面と敷居１２の上面との間にできる隙間Ｓよりも若干薄くなっている。そのため、ドアパネル保持部３１をドアパネル１０に取り付ける時には、底板２７を隙間Ｓにすべり込ませることが可能である。
【００２３】
次に、ドアパネル保持装置３０の固定部３２について図５、図６を参照して説明する。
ここで、図５は、固定部３２を示す斜視図であり、図６は、固定部３２を敷居１２に固定した状態を示す図である。
【００２４】
固定部３２は、断面がコ字形の固定ベース部材３３を備えている。固定ベース部材３３の上面部には、この場合２本のスタッドボルト３８が垂直に植設されている。ブラケット２６の底板２７には、２箇所に長穴４０が形成されている。各スタッドボルト３８は、長穴４０を通して突き出るようになっており、固定ベース部材３３を奥行き方向に動かして、固定ベース部材３３の位置を調整することができる。固定ベース部材３３は、スタッドボルト３８にナット３７を締結することで、底板２７に固定される。
【００２５】
底板２７は、上下２枚の板を重ねて構成されている。下側の底板２７ａでは、固定ベース部材３３の可動範囲が切り欠かれている。また、下側の底板２７ａの板厚は、固定ベース部材３３の上面部の板厚と等しくなっている。
【００２６】
固定ベース部材３３は、平行な側面部３３ａ、３３ｂを有している。このうち、一方の側面部３３ａには、蝶ねじ３４が螺合して設けられ、他方の側面部３３ｂには、敷居１２の敷居溝１５の側面にゴム板３９を介して接するようになっている。蝶ねじ３４の先端部には、円形のパッド３６が固着され、このパッド３６にはゴム板４１が貼着されている。
【００２７】
図６に示されるように、蝶ねじ３４がねじ込まれると、パッド３６は、トーガード２５を介して敷居１２の側面に圧着され、パッド３６と側面部３３の間で敷居１２の一部を挟み込むようにして固定ベース部材３３をクランプすることができる。
【００２８】
本実施形態によるドアパネル保持装置は、以上のように構成されるものであり、次に、ドアハンガーの交換方法との関連において、その作用および効果について説明する。
【００２９】
ドアハンガー２０を交換するには、まず初めに、一対のドアパネル保持装置３０を用いて、次のように既設のドアパネル１０を保持させる。ドアパネル１０は、ドアハンガー２０の交換後も使用するからである。
【００３０】
図２において、ドアパネル保持装置３０を、ブラケット２６がドアパネル１０の側面に向くようにしてそれぞれのドアパネル１０の側面側で敷居１２の上に載せる。このとき、図６に示されるように、固定ベース部材３３の一方の側面部３３ｂは、敷居溝１５に入れ、他方の側面部３３ａは、敷居１２の外側に出るようにする。
【００３１】
次に、図４において、ドアパネル保持装置３０をドアパネル１０側に移動させ、ブラケット２６の底板２７をドアパネル１０の下面と敷居１２の上面との間の隙間Ｓに差し込むようにする。これによって、ドアパネル１０の側縁部１０ａをブラケット２６に嵌め合わせることができる。このときブラケット２６の底板２７にはドアパネル１０の下面が載った状態になっている。
【００３２】
次に、図６において、ナット３７を緩め、固定ベース部材３３を長穴４０の範囲内にて奥行き方向に動かして、ゴム板３９が敷居溝１５の側面に接すように調整する。調整が終わったら、ナット３７を締めて固定ベース部材３３を固定しておく。次いで、蝶ねじ３４を締め込み、パッド３６をゴム板４１を介してトーガード２５に圧着させることで、固定ベース部材３３を敷居１２の２つの側面を利用してクランプし、ドアパネル保持装置３０を固定することができる。
【００３３】
このようにして、ドアパネル１０をドアパネル保持装置３０で保持した後、図１において、既設のドアハンガー２０からドアパネル１０を取り外し、それに替えて新しいドアハンガー２０に交換する。
【００３４】
この交換作業の間、ドアパネル１０、１０は、ドアパネル保持装置３０によって支えられている。この実施形態の場合、ドアパネル１０の側縁部１０ａは、コ字形のブラケット２６によって３方向を拘束されているので、ドアハンガー２０を取り外しても落下や転倒することなく、ドアパネル１０を支持することができる。また、ドアパネル１０の下端は、吊った状態と同じ位置のままで、ブラケット２６の底板２７に載って支持される。
【００３５】
このようにドアパネル保持装置３０を利用してドアパネル１０を支持することで、一人の作業者がドアハンガー２０を交換している間、別の作業者がドアパネル１０を支え続け、あるいは、ドアパネル１０を別の場所に運んで仮置きしておく必要がなくなるので、一人の作業員でドアパネル保持装置３０の敷居１２への設置からドアハンガー２０の交換までの一連の作業を一人で行え、作業効率が格段に向上する。
【００３６】
また、新規のドアハンガー２０にドアパネル１０を締結するときには、ドアパネルの高さ方向の位置は、吊ったときの同じ位置に保持されているので、ドアパネル１０の位置調整も不要で、簡便にドアハンガー２０に締結することができる。
【００３７】
こうしてドアパネル１０の締結が終わったら、蝶ねじ３４を緩めて、ドアパネル保持装置３０を敷居１２にそって引けば、ドアパネル保持装置３０を簡単に取り外すことができる。
【００３８】
以上は、既設のドアハンガー２０だけを新規のものに交換する場合を例に説明したが、ドアハンガー２０を含めヘッダーケース１６一式を交換する場合も、ドアパネル保持装置３０を利用してドアパネル１０を保持しながら、全く同様の作業手順で交換することができる。
【００３９】
（第２実施形態）  
次に、本発明の第２実施形態によるドアパネル保持装置について、図７乃至図９を参照して説明する。なお、図２乃至図６の第１実施形態と同一の構成要素には、同一の参照番号を付してその詳細な説明は省略する。  
この第２実施形態は、ドアパネル保持装置３０を敷居１２に固定する手段である固定部４４の構成が第１実施形態とは異なる実施の形態である。
【００４０】
ここで、図７は、第２実施形態に係るドアパネル保持装置３０をブラケット２６の背面側から表した斜視図である。図８は、ドアパネル保持装置３０の固定部４４を拡大して示す斜視図である。
【００４１】
この実施形態の場合、固定部４４では、２本のクランプボルト５０が２枚の補強リブ２８ａ、２８ｂの下部を貫通するように平行に設けられている。
【００４２】
クランプボルト５０の頭部側になる一方の補強リブ２８ａには、雌ねじが形成されているが、他方の補強ブリブ２８ｂには、ねじ径よりも大きな丸穴が形成され、クランプボルト５０の先端が突き出るようになっている。このクランプボルト５０の先端部には、ナット５３が締結されている。
【００４３】
補強リブ２８ａ、２８ｂの内側には、クランプボルト５０を通すようにして、２枚のクランププレート５１、５２が設けられている。この場合、クランププレート５１、５２には、クランプボルト５０のねじ径よりも大きな丸穴が形成され、この丸穴にクランプボルト５０が挿通されている。図８に示されているように、底板２７には、切欠き溝５４が形成されており、クランププレート５１、５２の下部は、切欠き溝５４を突き抜けてさらに下まで延び、図９に示されるように、敷居溝１５に挿入可能になっている。クランププレート５１、５２の下部には、ゴム板５５、５６が貼り付けられている。
【００４４】
このようなクランププレート５１、５２の間では、クランプボルト５０にナット５７、５８が螺合するようになっている。これらのナット５７、５８は、クランププレート５１、５２の下部の間隔を押し広げるためのナットである。
【００４５】
次に、第２実施形態によるドアパネル保持装置の作用および効果について説明する。  
この第２実施形態でも、ドアハンガー２０を交換する手順は、第１実施形態と基本的に同様である。
【００４６】
図２において、ドアパネル保持装置３０を、ブラケット２６がドアパネル１０の側面に向くようにしてドアパネル１０の両側面側で敷居１２の上に置く。その際、図７において、ドアパネル保持装置３０では、ナット５７、５８の位置を調整し、２枚のクランププレート５１、５２の間隔を敷居溝１５の幅よりも狭くなるように事前に調整しておく。
【００４７】
その後、ドアパネル保持装置３０をドアパネル１０側に移動させ、ドアパネル１０の側縁部１０ａをブラケット２６に嵌め合わせることができる。次に、図９において、ナット５７、５８を回転させて、クランププレート５１、５２をその間隔が拡がるように移動させる。クランププレート５１、５２のそれぞれの下端部がゴム板５５、５６を介して敷居溝の両側面にそれぞれ圧着するまで、ナット５７、５８を締め付けると、ドアパネル保持装置３０の固定が完了する。
【００４８】
本実施形態の場合、一方のクランププレート５１は平板形状であるが、他方のクランププレート５２は、Ｚ字形に曲がった形状になっている。これによって、ナット５７、５８を配置する空間が確保されるとともに、ナット５７、５８を回して位置を調整し締め付ける作業が容易になる。また、クランプボルト５０は、２本用いられているが、２本のクランプボルトを同一の高さにせずに、平行でかつ高さが異なるようにしているので、補強リブ２８ａ、２８ｂの間に工具や手を入れやすいようになっている。
【００４９】
こうして、ドアパネル１０、１０のそれぞれをドアパネル保持装置３０で保持した後、図２において、既設のドアハンガー２０からドアパネル１０、１０を取り外し、それに替えて新しいドアハンガー２０に交換することになる。この交換作業の間、ドアパネル１０、１０は、ドアパネル保持装置３０によって吊ったときの同じ位置で支えられている。
【００５０】
本実施形態によっても、第１実施形態と同様に、一人の作業員でドアパネル保持装置３０の敷居１２への設置からドアハンガー２０の交換までの一連の作業を一人で行え、作業効率が格段に向上する。
【００５１】
（第３実施形態）  
次に、本発明の第３実施形態によるドアパネル保持装置について、図１０、図１１を参照して説明する。なお、図２乃至図６の第１実施形態と同一の構成要素には、同一の参照番号を付してその詳細な説明は省略する。  
図１０は、ドアパネル保持装置３０をドアパネル保持部３１側からみた斜視図であり、図１１は、ドアパネル保持装置３０を真上からみた平面図である。  
この第３実施形態は、ドアパネル保持部３１のブラケット２６に、ドアパネルに圧着するパッド６２、６４を設けるようにした実施形態である。ドアパネル保持装置３０を敷居１２に固定する手段である固定部３２の構造は、第１実施形態と同一のものが用いられているが、第２実施形態の固定部４４を適用するようにしてもよい。
【００５２】
この実施形態の場合、ブラケット２６の一方の側面（昇降路側の側面）には上下２ヶ所に円形のパッド６２、６４が設けられており、パッド６２、６４はそれぞれ蝶ねじ６０、６３の先端部に固着されている。図１１に示されるように、パッド６２、６４にはゴム板６５が貼り付けられている。
【００５３】
次に、以上のような第２実施形態によるドアパネル保持装置の作用および効果について説明する。  
この第３実施形態でも、図２において、ドアパネル保持装置３０を、ブラケット２６がドアパネル１０の側面に向くようにしてそれぞれのドアパネル１０の両側面側で敷居１２の上に置き、ドアパネル保持装置３０をドアパネル１０側に移動させ、ドアパネル１０の側縁部１０ａをブラケット２６に嵌め合わせ、その後、ドアパネル保持装置３０を固定する手順は第１実施形態と同様である。
【００５４】
第３実施形態では、図１１に示されるように、ブラケット２６の奥行き方向の幅がドアパネル１０の側縁部１０ａの幅に比べて余裕をもって広く確保されているので、機種によって側部の幅の異なるドアパネルであっても、１種類のドアパネル保持装置３０で汎用的に対応することが可能である。
【００５５】
また、ブラケット２６に設けてある蝶ねじ６０、６３を締め込むことで、ドアパネル１０の側縁部１０ａの裏面をブラケット２６に押し付け、パッド６２で表面を拘束するというように、隙間を作らずに３方向から拘束されるので、ドアパネル１０の保持力が高く、ドアハンガー２０を取り外しても、ドアパネル１０の位置ずれを防止することが可能になる。
【００５６】
（第４実施形態）  
次に、本発明の第４実施形態によるドアパネル保持装置について、図１２並びに図１３を参照して説明する。  
これまで説明した第１乃至第３実施形態によるドアパネル保持装置３０は、敷居１２の上に取り付けて、ドアパネル１０を下から支持する。  
これに対して、第４実施形態は、図１２に示されるように、ドアパネル保持用梁７０と、複数のブラケット７２、７３、７４を用いて、ドアパネル１０を上から吊持するようにした実施の形態である。なお、図１２において、第４実施形態によるドアパネル保持装置が適用される乗場ドア装置は、第１実施形態の図１と同一であり、同一の構成要素には同一の参照番号を付してその詳細な説明は省略する。  
ドアパネル保持用梁７０は、ヘッダーケース１６を支持しているアングル部材１３、１４に架け渡すようにしてＬ字形ブラケット７２を介して取り付けられている。
【００５７】
ここで、図１３は、アングル部材１３に取り付けられた状態のブラケット７２を上からみた平面図である。  
ドアパネル保持用梁７０の両端部では、水平な面に長手方向に長い長溝７３が形成されており、この長溝７３に挿入されるボルト７５、ナットによってブラケット７２は締結される。したがって、長溝７３の長さの範囲内で、ブラケット７２の取付位置を調整することが可能である。
【００５８】
ブラケット７２は、ドアパネル保持用梁７０と直交するように取り付けられ、直角に折れ曲がった部分には、アングル部材１３を挟持するクリップ７４が設けられている。
【００５９】
図１２に示されるように、ブラケット７２以外にも、二つのブラケット７６、ブラケット７８が用いられる。このブラケット７６、７８は、ドアパネル１０を吊持するためのブラケットであるが、ブラケット７２と同様のＬ字形に曲がったブラケットであり、ドアパネル１０の折れ曲がった縁部を挟持するクリップを有している。なお、ドアパネル保持用梁７０の水平な面には、複数箇所に長溝８０が形成され、ブラケット７６の取付位置を調整することができる。また、ブラケット７６には奥行き方向に長溝８２が形成されている。
【００６０】
次に、以上のようなドアパネル保持用梁７０と、ブラケット７２、７６、７８を用いてドアハンガーを交換する手順について説明する。
【００６１】
図１２において、ドアハンガー２０を交換するには、まず初めに、ドアパネル保持梁７０をブラケット７２によりドアハンガー２０の下方でアングル部材１３、１４に水平な姿勢で取り付ける。すなわち、ブラケット７２の一端部をボルト・ナットでドアパネル保持梁７０の水平な面に締結し、他方の垂直に立ち上がった面をアングル部材１３、１４に締結する。エレベータによっては、アングル部材１３、１４の間隔が異なることがあるが、ブラケット７２の取付位置は、長穴７３の長さの範囲で調整できるため、現場で柔軟に対応することが可能である。
【００６２】
その後、ドアパネル保持梁７０にブラケット７６、７８を介して既設のドアパネル１０を保持させる。
【００６３】
このうち、ブラケット７６は、一端部をドアパネル保持梁７０の水平な面にボルト・ナット締結し、垂直に立ち上がった面を各ドアパネル１０の側縁部１０ａにクリップにて締結する。別のブラケット７８は、同様に一端部をドアパネル保持梁７０の水平な面にボルト・ナットで締結し、垂直に立ち上がった面をドアパネル１０の召し合せ部にクリップで締結する。
【００６４】
ブラケット７６、７８についても、ドアパネル１０の幅に対応させて長穴８０の長さ範囲内で水平方向の取付位置を調整し、また、クリップがドアパネル１０を挟持できるように長穴８２の長さ範囲内で奥行き方向の取付位置を調整することができる。
【００６５】
このようにして、ドアパネル１０がドアパネル保持梁７０にブラケット７２、７６、７８を介して保持されたら、ドアパネル１０とドアハンガー２０の締結を外して、ドアハンガー２０を取り外す。
【００６６】
ドアハンガー２０を取り外す間、ドアパネル１０は、ドアハンガー２０に吊られていた位置にずれが生じることなく保持されているので、新しいドアハンガーに交換後、ドアパネル１０をドアハンガーに締結する作業も容易である。
【００６７】
以上のように、本実施形態によれば、一人の作業者がドアハンガー２０を交換している間、別の作業車がドアパネルを支え続けたり、あるいは、ドアパネルを別の場所に運んで仮置きしておく必要がなくなるので、一人の作業員で、ドアパネル保持梁７０、ブラケット７２、７６、７８の取り付け、ドアハンガー２０の交換までの一連の作業を一人で行え、作業効率が格段に向上する。
【００６８】
以上、本発明に係るエレベータのドアパネル保持装置およびドアハンガーの交換方法について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００６９】
１０…ドアパネル、１２…敷居、１６…ヘッダーケース、１５…敷居溝、１８…ドアレール、２０…ドアハンガー、２５…トーガード、２６…ブラケット、３０…ドアパネル保持装置、３１…ドアパネル保持部、３２…固定部、３３…固定ベース部材、３５…ガイドシュー、３８…スタッドボルト、３４…蝶ねじ、３６…パッド、４４…固定部、５０…クランプボルト、５１、５２…クランププレート、６２、６４…パッド、６０、６３…蝶ねじ、７０…ドアパネル保持用梁、７２、７６、７８…ブラケット
【図１】
2017200851.tif 000003
【図２】
2017200851.tif 000004
【図３】
2017200851.tif 000005
【図４】
2017200851.tif 000006
【図５】
2017200851.tif 000007
【図６】
2017200851.tif 000008
【図７】
2017200851.tif 000009
【図８】
2017200851.tif 000010
【図９】
2017200851.tif 000011
【図１０】
2017200851.tif 000012
【図１１】
2017200851.tif 000013
【図１２】
2017200851.tif 000014
【図１３】
2017200851.tif 000015
【手続補正書】
【提出日】平成29年6月26日(2017.6.26)
【手続補正１】
【補正対象書類名】明細書
【補正対象項目名】００１０
【補正方法】変更
【補正の内容】
【００１０】
前記の目的を達成するために、本発明に係るエレベータのドアパネル保持装置は、エレベータの出入口を開閉するドアパネルと、ヘッダーケースに設けられ、前記ドアパネルを開閉可能に吊持するドアハンガーと、前記出入口の床に設けられ、前記ドアパネルの開閉を案内する敷居と、を有するドア装置において、前記ドアハンガーを交換する際に前記ドアパネルを転倒しないように保持するドアパネルの保持装置であって、前記ドアパネルの側縁部の下部を囲むようにして拘束し、前記ドアパネルを吊られていたときと同じ高さ位置に保持するドアパネル保持部と、前記ドアパネル保持部の下端部に設けられ、前記ドアパネル保持部を前記敷居上に着脱可能に固定する固定部と、を有することを特徴とするものである。
【手続補正２】
【補正対象書類名】特許請求の範囲
【補正対象項目名】全文
【補正方法】変更
【補正の内容】
【特許請求の範囲】
【請求項１】
エレベータの出入口を開閉するドアパネルと、ヘッダーケースに設けられ、前記ドアパネルを開閉可能に吊持するドアハンガーと、前記出入口の床に設けられ、前記ドアパネルの開閉を案内する敷居と、を有するドア装置において、前記ドアハンガーを交換する際に前記ドアパネルを転倒しないように保持するドアパネルの保持装置であって、
前記ドアパネルの側縁部の下部を囲むようにして拘束し、前記ドアパネルを吊られていたときと同じ高さ位置に保持するドアパネル保持部と、
前記ドアパネル保持部の下端部に設けられ、前記ドアパネル保持部を前記敷居上に着脱可能に固定する固定部と、を有することを特徴とするエレベータのドアパネル保持装置。
【請求項２】
前記固定部は、前記敷居の敷居溝の側面と前記敷居の外側側面との二面を跨がるように取り付けられる固定ベース部材と、パッド部材を前記外側側面に押し付けて前記固定ベース部材を固定するクランプ手段と、を有することを特徴とする請求項１に記載のエレベータのドアパネル保持装置。
【請求項３】
前記固定部は、前記敷居の敷居溝に挿入される一対のクランププレートと、各クランププレートの間隔を押し広げ、前記敷居溝の両側の側面にそれぞれ押し付けるねじクランプ手段と、を有することを特徴とする請求項１に記載のエレベータのドアパネル保持装置。
【請求項４】
前記ドアパネル保持部は、前記ドアパネルの側縁部を三方の面で拘束可能なコ字形断面を有し、その下端部が前記敷居の上面に載るように前記固定部によって固定されるブラケットを有し、吊られた状態にある前記ドアパネルの前記側縁部の下端が、前記ブラケットの底部にちょうど載るように、前記側縁部の下端と前記敷居の上面との間の隙間に前記底部が嵌合可能であることを特徴とする請求項１乃至３のいずれかの項に記載のエレベータのドアパネル保持装置。
【請求項５】
前記ドアパネル保持部は、前記ドアパネルの側縁部の幅よりも大きな幅を有する前記ブラケットと、パッド部材を前記側縁部に押し付け、前記パッドと前記ブラケットの内面とで前記側縁部を挟み込むクランプ手段と、を有することを特徴とする請求項４に記載のエレベータのドアパネル保持装置。
【請求項６】
請求項１乃至５のいずれかの項に記載のドアパネル保持装置を前記敷居の上に載せ、前記ドアハンガーで吊られたドアパネルの側縁部に前記ドアパネル保持装置を取り付け、前記ドアパネルを支持する工程と、
前記ドアパネルを前記ドアパネル保持装置で保持したまま、前記ドアハンガーを新しいドアハンガーに交換する工程と、
からなることを特徴とするエレベータのドアハンガーの交換方法。